(57)【要約】【課題】外灯ポールを吊り上げる際に、吊り上げロープの先端に係止治具を設け、外灯ポールの下部の、制御機器等を内部に入れる開口部に前記係止治具を係止することにより、吊り上げの際の脱落を防止する。【解決手段】  縦型の板体から成る本体１の下端の一面を略Ｖ字型に折り曲げてフック部２とし、フック部２と反対側の本体１の他面に縦方向にリブ板３を設け、リブ板３の上部に貫通孔４を設け、貫通孔４にシャックル５を掛けて成り、外灯ポールＢの吊り上げに際して、前記シャックル５にクレーンから垂下した吊り上げロープ１１の先端を挿入、係止し、外灯ポールＢの下部の機器挿入用の開口窓７に前記フック部２を係止し、当該フック部２を有する本体の一面を前記外灯ポールＢの外周面に当接させて使用する構成とした。【選択図】        図１
0003220551.tif 000002
【実用新案登録請求の範囲】
【請求項１】
細長い縦型の板体から成る本体の下端の一面を略Ｕ字型に折り曲げてフック部とし、前記フック部と反対側の本体の他面に縦方向にリブ板を設け、当該リブ板の上部に貫通孔を設けて成り、外灯ポールの吊り上げに際して、前記リブ板の貫通孔にクレーンから垂下した吊り上げロープの先端を挿入、係止し、外灯ポールの下部の機器挿入用の開口窓に前記フック部を係止し、当該フック部を有する本体の一面を前記外灯ポールの外周面に当接させて使用する構成としたことを特徴とする、外灯ポールの吊り上げ用係止治具。
【請求項２】
細長い縦型の板体から成る本体の下端の一面を略Ｕ字型に折り曲げてフック部とし、前記フック部と反対側の本体の他面に縦方向にリブ板を設け、当該リブ板の上部に貫通孔を設け、当該貫通孔にシャックルを掛けて成り、外灯ポールの吊り上げに際して、前記シャックルにクレーンから垂下した吊り上げロープの先端を挿入、係止し、外灯ポールの下部の機器挿入用の開口窓に前記フック部を係止し、当該フック部を有する本体の一面を前記外灯ポールの外周面に当接させて使用する構成としたことを特徴とする、外灯ポールの吊り上げ用係止治具。
【請求項３】
外灯ポールの吊り上げに際して外灯ポールの下部の機器挿入用の開口窓に前記フック部を係止して、当該フック部を有する本体の一面を前記外灯ポールの外周面に当接させた状態において、前記シャックルの一端が、外灯ポールの外周面に当接しないように前記シャックルの大きさ及び前記リブ板の孔の位置を構成したことを特徴とする、請求項２に記載の外灯ポールの吊り上げ用係止治具。
【請求項４】
前記本体の、フック部を有する一面及びフック部の内側面にゴム層を形成したことを特徴とする、請求項１〜３のいずれかに記載の外灯ポールの吊り上げ用係止治具。
【請求項５】
前記本体のフック部を有する一面を、前記外灯ポールの当接する外周面に合わせた凹湾曲面としたことを特徴とする、請求項１〜４のいずれかに記載の外灯ポールの吊り上げ用係止治具。
【請求項６】
前記ゴム層を、マグネット素材を含有するゴム層としたことを特徴とする、請求項４に記載の外灯ポールの吊り上げ用係止治具。
【考案の詳細な説明】
【技術分野】
【０００１】
この考案は、外灯ポールをクレーン等で吊り上げる際、吊り上げロープの先端に取付けて、外灯ポールが脱落しないように外灯ポールに係止する治具に関するものである。
【背景技術】
【０００２】
街灯の設置工事において、外灯ポールを地面に立てる際には、図８に示すように、クレーン車１０等により外灯ポールＢを吊り上げ、地面に掘った穴に外灯ポールＢの下端を挿入して外灯ポールＢを立てている。当該外灯ポールＢのクレーンによる吊り上げの際には、図９に示すように、吊り上げロープ１１やスリングベルト等をポールＢに巻き付け、その摩擦力を利用して、吊り上げている。
【０００３】
この方式では、外灯ポールＢの吊り上げの際には、吊り上げロープ１１やスリングベルトと外灯ポールＢとのあいだは、堅固な固定をしておらず、摩擦力に頼っているのが現状である。従って、外灯ポールＢのような上部に向かって径が小さくなるようなテーパー状のものは、吊り上げロープ１１等の抜け出しが懸念される。また、吊り上げロープ１１がずれることにより外灯ポールＢの表面に傷をつけるおそれがある。
【０００４】
この様なことから、特許文献１に示すように、足場ボルトを取付けるためのネジ穴を有する電柱にワイヤーロープ等の索を巻き掛け、当該策で電柱を吊り上げるときに上記索から電柱が抜け落ちるのを防ぐように電柱に取付ける電柱玉掛けストッパーであって、電柱に巻いた索を跨ぐように電柱の外周面に両端を当接するアーチ部と当該アーチ部を電柱に締結すべくネジ穴に螺合される取付ボルトを備えた電柱玉掛けストッパーが開発された。
【０００５】
また、電柱の建柱における前記玉掛けワイヤに替えて、特許文献２に示すように、電柱の外周に設けられ、２以上の部材から構成され、各部材同士を当接することにより電柱を拘束する電柱拘束部と、当該電柱拘束部の直径方向両端に設けられるワイヤ係止部とを備え、前記ワイヤ係止部にワイヤを掛けて吊り上げる電柱吊具が開発された。
【先行技術文献】
【特許文献】
【０００６】
【特許文献１】実用新案登録第３１２１５１２号公報
【特許文献２】実用新案登録第３２１２４０５号公報
【考案の開示】
【考案が解決しようとする課題】
【０００７】
しかしながら、前記特許文献１のものは、足場ボルトを取付けるためのネジ穴を有する電柱の吊り上げに使用するもので、外灯ポールには、足場ボルト用のネジ穴はない。従って、特許文献１の電柱玉掛けストッパーは、外灯ポールには使用できない。
【０００８】
また、特許文献２の電柱吊具は、電柱拘束部をボルト等により電柱に締め付けて、電柱拘束部を電柱に強固に固定しなければならない手間がかかる。
【０００９】
この考案は、外灯ポールの下部に、制御機器等を内部に入れる開口部があることに着目し、外灯ポールを吊り上げる際に、吊り上げロープの先端に係止具を設け、当該係止具を前記開口部に係止することにより、吊り上げの際の脱落を防止する、係止治具を提供することを目的としたものである。
【課題を解決するための手段】
【００１０】
請求項１の考案は、細長い縦型の板体から成る本体の下端の一面を略Ｕ字型に折り曲げてフック部とし、前記フック部と反対側の本体の他面に縦方向にリブ板を設け、当該リブ板の上部に貫通孔を設けて成り、外灯ポールの吊り上げに際して、前記リブ板の貫通孔にクレーンから垂下した吊り上げロープの先端を挿入、係止し、外灯ポールの下部の機器挿入用の開口窓に前記フック部を係止し、当該フック部を有する本体の一面を前記外灯ポールの外周面に当接させて使用する構成とした、外灯ポールの吊り上げ用係止治具とした。
【００１１】
また、請求項２の考案は、細長い縦型の板体から成る本体の下端の一面を略Ｕ字型に折り曲げてフック部とし、前記フック部と反対側の本体の他面に縦方向にリブ板を設け、当該リブ板の上部に貫通孔を設け、当該貫通孔にシャックルを掛けて成り、外灯ポールの吊り上げに際して、前記シャックルにクレーンから垂下した吊り上げロープの先端を挿入、係止し、外灯ポールの下部の機器挿入用の開口窓に前記フック部を係止し、当該フック部を有する本体の一面を前記外灯ポールの外周面に当接させて使用する構成とした、外灯ポールの吊り上げ用係止治具とした。
【００１２】
また、請求項３の考案は、外灯ポールの吊り上げに際して外灯ポールの下部の機器挿入用の開口窓に前記フック部を係止して、当該フック部を有する本体の一面を前記外灯ポールの外周面に当接させた状態において、前記シャックルの一端が、外灯ポールの外周面に当接しないように前記シャックルの大きさ及び前記リブ板の孔の位置を構成した、請求項２に記載の外灯ポールの吊り上げ用係止治具とした。
【００１３】
また、請求項４の考案は、前記本体の、フック部を有する一面及びフック部の内側面にゴム層を形成した、請求項１〜３のいずれかに記載の外灯ポールの吊り上げ用係止治具とした。
【００１４】
また、請求項５の考案は、前記本体のフック部を有する一面を、前記外灯ポールの当接する外周面に合わせた凹湾曲面とした、請求項１〜４のいずれかに記載の外灯ポールの吊り上げ用係止治具とした。
【００１５】
また、請求項６の考案は、前記ゴム層を、マグネット素材を含有するゴム層とした、請求項４に記載の外灯ポールの吊り上げ用係止治具とした。
【考案の効果】
【００１６】
請求項１又は２の考案によれば、クレーンによる街灯の吊り上げに際して、本体のリブ板の貫通孔に、クレーンの吊り上げロープを直接又はシャックルを介して係止し、当該本体の下部に設けたフック部を外灯ポールの機器挿入用の開口部の上端に引っ掛けて吊り上げるため、吊り上げロープが、外灯ポールに沿って上方にずれたりしない。従って外灯ポールが吊り上げロープから脱落する恐れがない等安全性が向上した。
【００１７】
また、請求項３の考案によれば、当該係止治具を外灯ポールの外周面に当接させて係止した際に、前記シャックルの一端が、外灯ポールの外周面に接触できないように構成しているため、シャックルによって外灯ポールの外周面を傷つけたりしない。
【００１８】
また、請求項４の考案によれば、当該係止治具の前記本体の、フック部を有する一面及びフック部の内側面にゴム層を設けているため、外灯ポールを吊り上げる際、本体がずれたりせず安定して当接し、かつ、外灯ポールの外周面、特に開口部周縁を傷つけたりしない。
【００１９】
また、請求項５の考案によれば、当該係止治具の前記本体のフック部を有する一面を、前記外灯ポールの当接する外周面に合わせた凹湾曲面としたため、外灯ポールを吊り上げる際、本体が外灯ポールの外周面に密着し、ずれたりせずより安定して外灯ポールを吊り上げることが出来る。
【００２０】
また、請求項６の考案によれば、前記ゴム層を、マグネット素材を含むゴム層としたため、当該係止治具が外灯ポールの外周面に磁力により強固に吸着され、吊り上げ中にずれたりせず、安定して外灯ポールを吊り上げることが出来る。
【図面の簡単な説明】
【００２１】
【図１】この考案の実施の形態例１の外灯ポールの吊り上げ用係止治具の使用状態を示す拡大縦断面図である。
【図２】この考案の実施の形態例１の外灯ポールの吊り上げ用係止治具の使用状態を示す正面図である。
【図３】この考案の実施の形態例１の外灯ポールの吊り上げ用係止治具の正面図である。
【図４】この考案の実施の形態例１の外灯ポールの吊り上げ用係止治具の側面図である。
【図５】この考案の実施の形態例１の外灯ポールの吊り上げ用係止治具の背面図である。
【図６】この考案の実施の形態例１の外灯ポールの吊り上げ用係止治具の、図４のＸ−Ｘ線断面図である。
【図７】この考案の実施の形態例１の外灯ポールの吊り上げ用係止治具の背面のゴム層断面を湾曲させた状態を示す断面図である。
【図８】この考案の従来例を示す全体概略図である。
【図９】この考案の従来例を示す要部正面図である。
【考案を実施するための形態】
【００２２】
（実施の形態例１）
この考案の実施の形態例１の外灯ポール吊り上げ用係止治具Ａを図に基づいて説明する。
【００２３】
この外灯ポール吊り上げ用係止治具Ａは、細長い縦型の板体から成る本体１の下端の一面を略Ｕ字型に折り曲げてフック部２とし、また、前記フック部２と反対側の本体１の他面には、本体１の長手方向に沿って縦方向にリブ板３を設けている。このリブ板３は本体１に対して垂直に立設されている。
【００２４】
このリブ板３の上部には、リブ板３の両側を貫通する貫通孔４が設けられ、当該貫通孔４にシャックル５が係止されている。また。当該リブ板３の前記貫通孔４とはずれた箇所の、本体１との境目にはテープ挿通用孔３ａが設けられている。さらにまた、前記本体１のフック部２を有する面及び当該フック部２の内側面にはゴム層６が設けられている。
【００２５】
上記シャックル５は、外灯ポールＢの下部の機器挿入用の開口窓７に前記フック部２を係止して、当該フック部２を有する本体１の一面を前記外灯ポールＢの外周面に当接させた状態において、図４に示すように、前記シャックル５の一端が、外灯ポールＢの外周面に当接しないように前記シャックル５の大きさ及び前記リブ板３の貫通孔４の位置を選んでいる。
【００２６】
また、この外灯ポール吊り上げ用係止治具Ａを用いて外灯ポールＢを吊り上げるには、クレーン車の吊り上げロープ１１の先端を、シャックル５に巻き付けて外灯ポール吊り上げ用係止治具Ａを吊り上げロープ１１の先端に固定する。
【００２７】
そして、当該外灯ポール吊り上げ用係止治具Ａを、外灯ポールＢの機器収納部の開口部７の上端縁に係止治具Ａの下端のフック部２を引っ掛け、本体１の背面のゴム層６を外灯ポールＢの外周に押し当てる。この状態で当該係止治具Ａのリブ板３に穿ったテープ挿通用孔３ａにテープ８を挿通して、当該テープ８を当該係止治具Ａの本体１の上から外灯ポールＢの外周に巻き付け、当該係止治具Ａを固定する。また、当該係止治具Ａの直ぐ上の吊り上げロープ１１の上からテープ９を外灯ポールＢの外周に巻き付ける。
【００２８】
この状態で、前記クレーン等で吊り上げロープ１１を吊り上げて外灯ポールＢを吊り上げる。そして所定の位置に外灯ポールＢを立てる（図示省略）。
【００２９】
この様に、外灯ポールＢの吊り上げに際して、当該外灯ポール吊り上げ用係止治具Ａを用いることにより、外灯ポールＢは強固に吊り上げロープ１１に係止されて吊り上げられるため、外灯ポールＢが吊り上げロープ１１から外れて脱落する恐れがない。
【００３０】
また、前記係止治具Ａのゴム層６の内側面の断面を、フック部２の折返し部を除いて、図７に示すように、外灯ポールＢの外周面に合わせた凹湾曲形状をすると、前記係止治具Ａの内側面は外灯ポールＢの外周面により強固に当接し、無闇に動かない。また、当該係止治具Ａの本体１の断面そのものを湾曲形状にしてもよい。
【００３１】
また、上記ゴム層６を、マグネット素材を含むゴム層とした場合、外灯ポールＢに前記係止治具Ａを当接した際、当該係止治具Ａが外灯ポールＢに吸着し、動かなくなるため、前記テープ８等が不要となり、作業が迅速かつ容易となる。また、当該外灯ポールＢを吊り上げる際も前記係止治具Ａが安定して固定され、ずれたりする恐れがない。
【００３２】
上記実施の形態例１では、シャックル５を介して前記係止治具Ａと吊り上げロープ１１を係止しているが、これに替えて、吊り上げロープ１１を前記係止治具Ａの貫通孔４に直接通し、吊り上げロープ１１の先端に前記係止治具Ａを固定する場合もある。    
【００３３】
また、上記実施の形態例１では、外灯ポールＢの外周に接触する本体１の面にゴム層６を設けたが、必ずしも当該ゴム層６を設ける必要はない。また、前記リブ板３にテープ挿通孔３ａを設けたが、当該テープ挿通孔３ａを設けない場合もある。その場合は、テープ８は、リブ板３のない本体１の下部に巻き付けることが出来る。
【００３４】
また、上記実施の形態例１の吊り上げロープ１１は、ワイヤーロープを含み、素材を限定するものではない。また、前記本体１の下部のフック部２を略Ｕ字型としているが、これに限らず、開口部７に係止可能なものであれば、Ｖ字型等他の形状のものも含むものである。また、前記吊り上げロープ１１はクレーン車１０に設けているが、クレーン車１０に限らず、他のクレーンでも良い。
【符号の説明】
【００３５】
Ａ      外灯ポール吊り上げ用係止治具
Ｂ      外灯ポール
１      本体                      ２      フック部
３      リブ板                    ３ａ    テープ挿通用孔
４      貫通孔                    ５      シャックル  
６      ゴム層                    ７      開口部  
８      テープ                    ９      テープ
１０    クレーン車                １１    吊上げロープ
【図１】
0003220551.tif 000003
【図２】
0003220551.tif 000004
【図３】
0003220551.tif 000005
【図４】
0003220551.tif 000006
【図５】
0003220551.tif 000007
【図６】
0003220551.tif 000008
【図７】
0003220551.tif 000009
【図８】
0003220551.tif 000010
【図９】
0003220551.tif 000011